(57)【特許請求の範囲】
【請求項１】
データの転送元となる転送元端末と、データの転送先となる転送先端末と、携帯端末とを通信可能に接続したシステムであって、
データの転送に際して中間処理を行う中間処理端末を通信可能に接続し、
前記転送元端末及び前記転送先端末を複数備え、
前記転送元端末は、転送対象となる転送データを記憶するための転送データ記憶手段を有し、データの転送準備要求を受信したときは、前記転送データ記憶手段の転送データを前記中間処理端末に送信し、当該転送データの送信に伴って前記中間処理端末で中間処理された処理後転送データを受信したときは、受信した処理後転送データを前記転送データ記憶手段に記憶するとともに前記処理後転送データの転送を待機し、転送待機中に、データの転送要求とともに転送先アドレスを受信したときは、受信した転送先アドレスに基づいて前記転送データ記憶手段の処理後転送データを前記転送先端末に送信するようになっており、
前記携帯端末は、前記転送準備要求を前記転送元端末に送信する一方、データの転送開始要求を前記転送先端末に送信するようになっており、
前記中間処理端末は、前記転送データを受信したときは、受信した転送データを中間処理し、中間処理した処理後転送データを前記転送元端末に送信するようになっており、
前記転送先端末は、前記転送開始要求を受信したときは、当該転送先端末のアドレスを前記転送先アドレスとして前記転送要求とともに前記転送元端末に送信するようになっており、
前記携帯端末からの転送要求に応じて、前記転送元端末のデータを、前記中間処理端末による中間処理を経て、前記転送先端末に転送するようになっていることを特徴とするデータ転送システム。
【請求項２】
請求項１において、
前記転送先端末は、前記転送開始要求を受信したときは、当該転送先端末のアドレスを前記転送先アドレスとして前記転送要求とともに、前記転送元端末を含むすべての端末にブロードキャスト送信するようになっていることを特徴とするデータ転送システム。
【請求項３】
請求項１において、
前記転送元端末は、転送対象となる転送データを記憶するための転送データ記憶手段を有し、データの転送準備要求を受信したときは、前記転送データ記憶手段の転送データにアクセス可能なアクセス情報を前記携帯端末に送信する一方、前記転送データ記憶手段の転送データを前記中間処理端末に送信し、当該転送データの送信に伴って前記中間処理端末で中間処理された処理後転送データを受信したときは、受信した処理後転送データを前記転送データ記憶手段に記憶するようになっており、
前記携帯端末は、前記アクセス情報を記憶するためのアクセス情報記憶手段を有し、前記転送準備要求を前記転送元端末に送信し、当該転送準備要求の送信に伴って前記アクセス情報を受信したときは、受信したアクセス情報を前記アクセス情報記憶手段に記憶する一方、前記アクセス情報記憶手段のアクセス情報をデータの転送開始送要求とともに前記転送先端末に送信するようになっており、
前記中間処理端末は、前記転送データを受信したときは、受信した転送データを中間処理し、中間処理した処理後転送データを前記転送元端末に送信するようになっており、
前記転送先端末は、前記転送開始要求とともに前記アクセス情報を受信したときは、受信したアクセス情報に基づいて前記処理後転送データを前記転送元端末から取得するようになっていることを特徴とするデータ転送システム。
【請求項４】
請求項３において、
前記アクセス情報には、前記転送データの種別に関する種別情報を含み、
前記転送先端末は、受信したアクセス情報に含まれる種別情報により特定されるデータの種別が当該転送先端末で取扱可能なものであるときは、受信したアクセス情報に基づいて前記処理後転送データを前記転送元端末から取得するようになっていることを特徴とするデータ転送システム。
【請求項５】
請求項１において、
前記転送元端末は、転送対象となる転送データを記憶するための転送データ記憶手段を有し、データの転送準備要求を受信したときは、前記転送データ記憶手段の転送データを前記中間処理端末に送信するようになっており、
前記携帯端末は、前記転送準備要求を前記転送元端末に送信する一方、データの転送開始要求を前記転送先端末に送信するようになっており、
前記中間処理端末は、当該中間処理端末で中間処理される処理後転送データを記憶するための処理後転送データ記憶手段を有し、前記転送データを受信したときは、受信した転送データを中間処理し、中間処理した処理後転送データを前記処理後転送データ記憶手段に記憶するようになっており、
前記転送先端末は、前記転送開始要求を受信したときは、前記処理後転送データを前記中間処理端末から取得するようになっていることを特徴とするデータ転送システム。
【請求項６】
請求項５において、
前記転送元端末は、前記転送準備要求を受信したときは、前記転送データ記憶手段の転送データを識別するための識別情報を前記携帯端末に送信する一方、前記転送データ及び前記識別情報を前記中間処理端末に送信するようになっており、
前記携帯端末は、前記識別情報を記憶するための識別情報記憶手段を有し、前記転送準備要求を前記転送元端末に送信し、当該転送準備要求の送信に伴って前記識別情報を受信したときは、受信した識別情報を前記識別情報記憶手段に記憶する一方、前記識別情報記憶手段の識別情報を前記転送開始送要求とともに前記転送先端末に送信するようになっており、
前記中間処理端末は、前記転送データ及び前記識別情報を受信したときは、受信した転送データを中間処理し、中間処理した処理後転送データを前記受信した識別情報と対応付けて前記処理後転送データ記憶手段に記憶するようになっており、
前記転送先端末は、前記転送開始要求とともに前記識別情報を受信したときは、受信した識別情報に基づいて前記処理後転送データを前記中間処理端末から取得するようになっていることを特徴とするデータ転送システム。
【請求項７】
仮想オブジェクトにサービスを対応付けるとともに、実空間と対応させた仮想空間上に前記仮想オブジェクトを配置し、移動可能な移動体と前記仮想オブジェクトとの位置関係に基づいて、前記仮想オブジェクトに対応するサービスを提供するサービス提供システムに、請求項１乃至６のいずれかに記載のデータ転送システムを適用したものであって、
前記サービス提供システムは、前記仮想オブジェクトの形状及び配置位置に関するオブジェクト情報を、サービス内容を規定するサービス情報と対応付けて記憶するためのオブジェクト情報記憶手段と、前記移動体の位置を特定するための位置情報を取得する位置情報取得手段とを有し、前記位置情報取得手段で取得した位置情報及び前記オブジェクト情報記憶手段のオブジェクト情報に基づいて、前記仮想オブジェクトの形状及び配置位置により特定される前記仮想オブジェクトの内部領域内に前記移動体が属していると判定したときは、前記オブジェクト情報記憶手段のサービス情報に基づいて、前記仮想オブジェクトに対応するサービスを提供するようになっており、
前記転送元端末又は前記転送先端末を前記仮想オブジェクトとして構成するようになっていることを特徴とするデータ転送システム。
【請求項８】
請求項１記載のデータ転送システムにおける携帯端末、中間処理端末及び転送先端末と通信可能に接続する端末であって、
前記転送データを記憶するための転送データ記憶手段を備え、
前記転送準備要求を受信したときは、前記転送データ記憶手段の転送データを前記中間処理端末に送信し、当該転送データの送信に伴って前記処理後転送データを受信したときは、受信した処理後転送データを前記転送データ記憶手段に記憶するとともに前記処理後転送データの転送を待機し、転送待機中に、前記転送要求とともに前記転送先アドレスを受信したときは、受信した転送先アドレスに基づいて前記転送データ記憶手段の処理後転送データを前記転送先端末に送信するようになっていることを特徴とする転送元端末。
【請求項９】
請求項３記載のデータ転送システムにおける携帯端末、中間処理端末及び転送先端末と通信可能に接続する端末であって、
前記転送データを記憶するための転送データ記憶手段を備え、
前記転送準備要求を受信したときは、前記アクセス情報を前記携帯端末に送信する一方、前記転送データ記憶手段の転送データを前記中間処理端末に送信し、当該転送データの送信に伴って前記処理後転送データを受信したときは、受信した処理後転送データを前記転送データ記憶手段に記憶するようになっていることを特徴とする転送元端末。
【請求項１０】
請求項５記載のデータ転送システムにおける携帯端末及び中間処理端末と通信可能に接続する端末であって、
前記転送データを記憶するための転送データ記憶手段を備え、
前記転送準備要求を受信したときは、前記転送データ記憶手段の転送データを前記中間処理端末に送信するようになっていることを特徴とする転送元端末。
【請求項１１】
請求項１記載のデータ転送システムにおける転送元端末と通信可能に接続する端末であって、
前記転送データを受信したときは、受信した転送データを中間処理し、中間処理した処理後転送データを前記転送元端末に送信するようになっていることを特徴とする中間処理端末。
【請求項１２】
請求項５記載のデータ転送システムにおける転送元端末及び転送先端末と通信可能に接続する端末であって、
前記処理後転送データを記憶するための処理後転送データ記憶手段を備え、
前記転送データを受信したときは、受信した転送データを中間処理し、中間処理した処理後転送データを前記処理後転送データ記憶手段に記憶するようになっていることを特徴とする中間処理端末。
【発明の詳細な説明】
【０００１】
【発明の属する技術分野】
本発明は、転送元端末と転送先端末との間でデータの転送を行うシステムおよびそれに適用する端末に係り、特に、パソコンの操作に不慣れなユーザであっても、データの転送および転送に伴う中間処理を手軽に行うことができるデータ転送システム、転送元端末および中間処理端末に関する。
【０００２】
【従来の技術】
従来、例えば、パソコンに蓄積された音楽データをオーディオ機器に転送して再生するには、ユーザは、パソコンとオーディオ機器とを専用線で接続し、パソコンでデータ転送アプリケーションを起動し、転送を希望する音楽データを選択し、転送指示を入力することにより行う。これにより、パソコンが、選択された音楽データを専用線を介してオーディオ機器に転送する。
【０００３】
【発明が解決しようとする課題】
したがって、パソコンからオーディオ機器に音楽データを転送するには、ユーザは、専用線の接続、アプリケーションの起動、転送指示の入力といった所定の操作を行う必要があるため、ユーザにとって手軽なものであるとは言い難く、特に、パソコンの操作に不慣れなユーザにとっては、非常に使い勝手が悪いという問題があった。
【０００４】
また、ユーザのなかには、同じ音楽データであっても、その時々の気分によって、コンサートホールで聴いているかのような音響効果で演奏を楽しみたいと思うこともあれば、比較的狭い室内で聴いているかのような音響効果で演奏を楽しみたいと思うこともあるだろう。その場合、ホール音響効果で録音した音楽データとルーム音響効果で録音した音楽データとを別々にパソコン上に保存しておくのは、音楽データのデータ容量が比較的大きいことから効率的ではない。そのため、一般的には、音響効果を与えていない音楽データのみを保存しておき、再生を行うごとに、ホール音響効果とかルーム音響効果とかいった音響効果を与えるべくパソコン上で音楽データにエフェクト処理を行う。したがって、希望の音響効果で音楽データを再生しようとする場合において、パソコンからオーディオ機器に音楽データを転送するには、上記の操作に加え、音楽データにエフェクト処理を行うという操作がさらにもう一つ必要となる。
【０００５】
このことは、パソコンからオーディオ機器に音楽データを転送する場合に限らず、パソコンから他のパソコンに、またはオーディオ機器等の電気機器から他の電気機器にデータを転送する場合についても、これと同様の問題が想定される。
そこで、本発明は、このような従来の技術の有する未解決の課題に着目してなされたものであって、パソコンの操作に不慣れなユーザであっても、データの転送および転送に伴う中間処理を手軽に行うことができるデータ転送システム、転送元端末および中間処理端末を提供することを目的としている。
【０００６】
【課題を解決するための手段】
上記目的を達成するために、本発明に係る請求項１記載のデータ転送システムは、データの転送元となる転送元端末と、データの転送先となる転送先端末と、携帯端末とを通信可能に接続したシステムであって、データの転送に際して中間処理を行う中間処理端末を通信可能に接続し、前記転送元端末及び前記転送先端末を複数備え、前記転送元端末は、転送対象となる転送データを記憶するための転送データ記憶手段を有し、データの転送準備要求を受信したときは、前記転送データ記憶手段の転送データを前記中間処理端末に送信し、当該転送データの送信に伴って前記中間処理端末で中間処理された処理後転送データを受信したときは、受信した処理後転送データを前記転送データ記憶手段に記憶するとともに前記処理後転送データの転送を待機し、転送待機中に、データの転送要求とともに転送先アドレスを受信したときは、受信した転送先アドレスに基づいて前記転送データ記憶手段の処理後転送データを前記転送先端末に送信するようになっており、前記携帯端末は、前記転送準備要求を前記転送元端末に送信する一方、データの転送開始要求を前記転送先端末に送信するようになっており、前記中間処理端末は、前記転送データを受信したときは、受信した転送データを中間処理し、中間処理した処理後転送データを前記転送元端末に送信するようになっており、前記転送先端末は、前記転送開始要求を受信したときは、当該転送先端末のアドレスを前記転送先アドレスとして前記転送要求とともに前記転送元端末に送信するようになっており、前記携帯端末からの転送要求に応じて、前記転送元端末のデータを、前記中間処理端末による中間処理を経て、前記転送先端末に転送するようになっている。
【０００７】
このような構成であれば、転送元端末から転送先端末にデータを転送するには、ユーザは、まず、携帯端末で転送要求を与える。携帯端末から転送要求が与えられると、与えられた転送要求に応じて、転送元端末のデータが中間処理端末により中間処理されて転送先端末に送信される。
ここで、転送元端末と転送先端末との間でのデータ転送は、転送元端末と転送先端末との直接のやりとりにより行うようになっていてもよいし、転送元端末および転送先端末とは別の他の端末を設け、他の端末を介して間接的に行うようになっていてもよい。
【０００８】
また、転送元端末と転送先端末と携帯端末とを通信可能に接続するとは、転送元端末と携帯端末とを通信可能に接続するとともに、携帯端末と転送先端末とを通信可能に接続する形態のほか、これに加えて転送元端末と転送先端末とを通信可能に接続する形態を含み、さらに、転送元端末と転送先端末とは直接通信可能に接続はしないものの、携帯端末またはそれ以外の他の端末を介して間接的に通信可能に接続する形態をも含む。
【０００９】
また、中間処理は、転送元端末および転送先端末のいずれかまたは両方で行うようにしてもよいし、転送元端末および転送先端末とは別の他の端末を設け、他の端末で行うようにしてもよい。
【００１０】
ここで、中間処理端末による中間処理を経て転送先端末に転送するには、転送元端末から中間処理端末に転送データを送信し、中間処理端末で転送データを中間処理し、中間処理した処理後転送データを中間処理端末から転送先端末に送信することにより行うようにしてもよいし、転送元端末から中間処理端末に転送データを送信し、中間処理端末で転送データを中間処理し、中間処理した処理後転送データを中間処理端末から転送元端末に送信し、転送元端末から転送先端末に処理後転送データを送信することにより行うようにしてもよい。
【００１２】
また、このような構成であれば、転送元端末から転送先端末にデータを転送するには、ユーザは、まず、携帯端末において転送準備要求を転送元端末に送信する。
転送元端末では、転送準備要求を受信すると、転送データ記憶手段の転送データが中間処理端末に送信される。
中間処理端末では、転送データを受信すると、受信した転送データが中間処理され、中間処理された処理後転送データが転送元端末に送信される。
【００１３】
転送元端末では、処理後転送データを受信すると、受信した処理後転送データが転送データ記憶手段に記憶されるとともに処理後転送データの転送を待機する転送待機状態となる。
次に、ユーザは、携帯端末において転送開始要求を転送先端末に送信する。
転送先端末では、転送開始要求を受信すると、転送先端末のアドレスが転送先アドレスとして転送要求とともに転送元端末に送信される。
【００１４】
転送元端末では、転送待機中に、転送要求とともに転送先アドレスを受信すると、受信した転送先アドレスに基づいて転送データ記憶手段の処理後転送データが転送先端末に送信される。
ここで、転送先端末は、転送先アドレスを転送元端末に送信するようになっていればどのような構成であってもよく、例えば、転送元端末のアドレスを携帯端末または転送元端末から取得し、取得したアドレスに基づいて転送先アドレスを転送元端末に送信するようになっていてもよいし、転送元端末のアドレスをあらかじめ記憶しておき、記憶しているアドレスに基づいて転送先アドレスを転送元端末に送信するようになっていてもよいし、転送先アドレスを、転送元端末を含むすべての端末にブロードキャスト送信するようになっていてもよい。以下、請求項６記載のデータ転送システムにおいて同じである。
【００１５】
また、転送データ記憶手段は、転送データをあらゆる手段でかつあらゆる時期に記憶するものであり、転送データをあらかじめ記憶してあるものであってもよいし、転送データをあらかじめ記憶することなく、本システムの動作時に外部からの入力等によって転送データを記憶するようになっていてもよい。以下、請求項３および５記載のデータ転送システム、並びに請求項８ないし１０記載の転送元端末において同じである。
【００１６】
さらに、本発明に係る請求項２記載のデータ転送システムは、請求項１記載のデータ転送システムにおいて、前記転送先端末は、前記転送開始要求を受信したときは、当該転送先端末のアドレスを前記転送先アドレスとして前記転送要求とともに、前記転送元端末を含むすべての端末にブロードキャスト送信するようになっている。
【００１７】
このような構成であれば、転送先端末では、転送開始要求を受信すると、転送先端末のアドレスが転送先アドレスとして転送要求とともに、転送元端末を含むすべての端末にブロードキャスト送信される。
さらに、本発明に係る請求項３記載のデータ転送システムは、請求項１記載のデータ転送システムにおいて、前記転送元端末は、転送対象となる転送データを記憶するための転送データ記憶手段を有し、データの転送準備要求を受信したときは、前記転送データ記憶手段の転送データにアクセス可能なアクセス情報を前記携帯端末に送信する一方、前記転送データ記憶手段の転送データを前記中間処理端末に送信し、当該転送データの送信に伴って前記中間処理端末で中間処理された処理後転送データを受信したときは、受信した処理後転送データを前記転送データ記憶手段に記憶するようになっており、前記携帯端末は、前記アクセス情報を記憶するためのアクセス情報記憶手段を有し、前記転送準備要求を前記転送元端末に送信し、当該転送準備要求の送信に伴って前記アクセス情報を受信したときは、受信したアクセス情報を前記アクセス情報記憶手段に記憶する一方、前記アクセス情報記憶手段のアクセス情報をデータの転送開始送要求とともに前記転送先端末に送信するようになっており、前記中間処理端末は、前記転送データを受信したときは、受信した転送データを中間処理し、中間処理した処理後転送データを前記転送元端末に送信するようになっており、前記転送先端末は、前記転送開始要求とともに前記アクセス情報を受信したときは、受信したアクセス情報に基づいて前記処理後転送データを前記転送元端末から取得するようになっている。
【００１８】
このような構成であれば、転送元端末から転送先端末にデータを転送するには、ユーザは、まず、携帯端末において転送準備要求を転送元端末に送信する。
転送元端末では、転送準備要求を受信すると、アクセス情報が携帯端末に送信される。
携帯端末では、転送準備要求の送信に伴ってアクセス情報を受信すると、受信したアクセス情報がアクセス情報記憶手段に記憶される。
【００１９】
一方、転送元端末では、転送準備要求を受信すると、転送データ記憶手段の転送データが中間処理端末に送信される。
中間処理端末では、転送データを受信すると、受信した転送データが中間処理され、中間処理された処理後転送データが転送元端末に送信される。
転送元端末では、処理後転送データを受信すると、受信した処理後転送データが転送データ記憶手段に記憶される。
【００２０】
次に、ユーザは、携帯端末において転送開始要求とともにアクセス情報を転送先端末に送信する。
転送先端末では、転送開始要求とともにアクセス情報を受信すると、受信したアクセス情報に基づいて処理後転送データが転送元端末から取得される。
ここで、アクセス情報は、転送データにアクセス可能な情報であればどのような情報であってもよく、転送データに直接アクセス可能な情報も準アクセス可能な情報もこれに含まれる。直接アクセス可能な情報としては、例えば、転送データの格納場所を示すアドレスが、準アクセス可能な情報としては、転送元端末または転送データ記憶手段にアクセス可能なネットワークアドレスがそれぞれ挙げられる。以下、請求項９記載の転送元端末において同じである。
【００２１】
また、アクセス情報記憶手段は、アクセス情報をあらゆる手段でかつあらゆる時期に記憶するものであり、アクセス情報をあらかじめ記憶してあるものであってもよいし、アクセス情報をあらかじめ記憶することなく、本システムの動作時に外部からの入力等によってアクセス情報を記憶するようになっていてもよい。
さらに、本発明に係る請求項４記載のデータ転送システムは、請求項３記載のデータ転送システムにおいて、前記アクセス情報には、前記転送データの種別に関する種別情報を含み、前記転送先端末は、受信したアクセス情報に含まれる種別情報により特定されるデータの種別が当該転送先端末で取扱可能なものであるときは、受信したアクセス情報に基づいて前記処理後転送データを前記転送元端末から取得するようになっている。
【００２２】
このような構成であれば、転送先端末では、転送開始要求とともにアクセス情報を受信し、受信したアクセス情報に含まれる種別情報により特定されるデータの種別が転送先端末で取扱可能なものであると、受信したアクセス情報に基づいて転送データが転送元端末から取得される。
さらに、本発明に係る請求項５記載のデータ転送システムは、請求項１記載のデータ転送システムにおいて、前記転送元端末は、転送対象となる転送データを記憶するための転送データ記憶手段を有し、データの転送準備要求を受信したときは、前記転送データ記憶手段の転送データを前記中間処理端末に送信するようになっており、前記携帯端末は、前記転送準備要求を前記転送元端末に送信する一方、データの転送開始要求を前記転送先端末に送信するようになっており、前記中間処理端末は、当該中間処理端末で中間処理される処理後転送データを記憶するための処理後転送データ記憶手段を有し、前記転送データを受信したときは、受信した転送データを中間処理し、中間処理した処理後転送データを前記処理後転送データ記憶手段に記憶するようになっており、前記転送先端末は、前記転送開始要求を受信したときは、前記処理後転送データを前記中間処理端末から取得するようになっている。
【００２３】
このような構成であれば、転送元端末から転送先端末にデータを転送するには、ユーザは、まず、携帯端末において転送準備要求を転送元端末に送信する。
転送元端末では、転送準備要求を受信すると、転送データ記憶手段の転送データが中間処理端末に送信される。
中間処理端末では、転送データを受信すると、受信した転送データが中間処理され、中間処理された処理後転送データが処理後転送データ記憶手段に記憶される。
【００２４】
次に、ユーザは、携帯端末において転送開始要求を転送先端末に送信する。
転送先端末では、転送開始要求を受信すると、処理後転送データが中間処理端末から取得される。
ここで、処理後転送データ記憶手段は、処理後転送データをあらゆる手段でかつあらゆる時期に記憶するものであり、処理後転送データをあらかじめ記憶してあるものであってもよいし、処理後転送データをあらかじめ記憶することなく、本システムの動作時に外部からの入力等によって処理後転送データを記憶するようになっていてもよい。以下、請求項１２記載の中間処理端末において同じである。
【００２５】
さらに、本発明に係る請求項６記載のデータ転送システムは、請求項５記載のデータ転送システムにおいて、前記転送元端末は、前記転送準備要求を受信したときは、前記転送データ記憶手段の転送データを識別するための識別情報を前記携帯端末に送信する一方、前記転送データおよび前記識別情報を前記中間処理端末に送信するようになっており、前記携帯端末は、前記識別情報を記憶するための識別情報記憶手段を有し、前記転送準備要求を前記転送元端末に送信し、当該転送準備要求の送信に伴って前記識別情報を受信したときは、受信した識別情報を前記識別情報記憶手段に記憶する一方、前記識別情報記憶手段の識別情報を前記転送開始送要求とともに前記転送先端末に送信するようになっており、前記中間処理端末は、前記転送データおよび前記識別情報を受信したときは、受信した転送データを中間処理し、中間処理した処理後転送データを前記受信した識別情報と対応付けて前記処理後転送データ記憶手段に記憶するようになっており、前記転送先端末は、前記転送開始要求とともに前記識別情報を受信したときは、受信した識別情報に基づいて前記処理後転送データを前記中間処理端末から取得するようになっている。
【００２６】
このような構成であれば、転送元端末から転送先端末にデータを転送するには、ユーザは、まず、携帯端末において転送準備要求を転送元端末に送信する。
転送元端末では、転送準備要求を受信すると、識別情報が携帯端末に送信される。
携帯端末では、識別情報を受信すると、受信した識別情報が識別情報記憶手段に記憶される。
【００２７】
一方、転送元端末では、転送準備要求を受信すると、転送データ記憶手段の転送データおよびその識別情報が中間処理端末に送信される。
中間処理端末では、転送データおよび識別情報を受信すると、受信した転送データが中間処理され、中間処理された処理後転送データが、受信した識別情報と対応付けられて処理後転送データ記憶手段に記憶される。
【００２８】
次に、ユーザは、携帯端末において転送開始要求とともに識別情報を転送先端末に送信する。
転送先端末では、転送開始要求とともに識別情報を受信すると、受信した識別情報に基づいて処理後転送データが中間処理端末から取得される。
さらに、本発明に係る請求項７記載のデータ転送システムは、仮想オブジェクトにサービスを対応付けるとともに、実空間と対応させた仮想空間上に前記仮想オブジェクトを配置し、移動可能な移動体と前記仮想オブジェクトとの位置関係に基づいて、前記仮想オブジェクトに対応するサービスを提供するサービス提供システムに、請求項１ないし６のいずれかに記載のデータ転送システムを適用したものであって、前記サービス提供システムは、前記仮想オブジェクトの形状および配置位置に関するオブジェクト情報を、サービス内容を規定するサービス情報と対応付けて記憶するためのオブジェクト情報記憶手段と、前記移動体の位置を特定するための位置情報を取得する位置情報取得手段とを有し、前記位置情報取得手段で取得した位置情報および前記オブジェクト情報記憶手段のオブジェクト情報に基づいて、前記仮想オブジェクトの形状および配置位置により特定される前記仮想オブジェクトの内部領域内に前記移動体が属していると判定したときは、前記オブジェクト情報記憶手段のサービス情報に基づいて、前記仮想オブジェクトに対応するサービスを提供するようになっており、前記転送元端末または前記転送先端末を前記仮想オブジェクトとして構成するようになっている。
【００２９】
このような構成であれば、位置情報取得手段により、位置情報が取得され、取得された位置情報およびオブジェクト情報記憶手段のオブジェクト情報に基づいて、仮想オブジェクトの形状および配置位置により特定される仮想オブジェクトの内部領域内に移動体が属しているか否かが判定される。その結果、仮想オブジェクトの内部領域内に移動体が属していると判定されると、オブジェクト情報記憶手段のサービス情報に基づいて、仮想オブジェクトに対応するサービスが提供される。
【００３０】
そして、携帯端末での操作により、仮想オブジェクトから他の仮想オブジェクトにデータが転送される。その他の形態としては、仮想オブジェクトから転送先端末に、または転送元端末から他の仮想オブジェクトにデータを転送することができる。例えば、転送先端末を、印刷を実行するというサービスと対応付けた仮想オブジェクトとして構成した場合、転送元端末のデータをその仮想オブジェクトに転送してやれば、そのデータが印刷される。
【００３１】
ここで、仮想オブジェクトは、実空間と対応させた仮想空間上で論理的な形状および配置位置を有しており、その形状としては、例えば、配置位置を中心とした半径１〔ｍ〕程度の球体であってもよいし、配置位置を中心とした１辺が１〔ｍ〕程度の立方体であってもよいし、その他自然物や生物を模写した形状等あらゆる形状を含む。また、立体的な形状に限らず、平面的な形状であってもよい。これにより、サービスが提供される領域が比較的明確化されることから、例えば数ｍ単位といった細かな単位で異なるサービスを提供することが可能となり、また、サービスが提供される領域が点ではなく所定の範囲をもっていることから、ユーザがサービスを受けやすくなる。
【００３２】
また、移動体は、実空間における移動体であってもよいし、仮想空間における移動体であってもよい。前者の場合は、例えば、携帯端末や車両等がそれに該当し、それらに適用すれば、ユーザの位置に応じたサービスを提供することができるし、後者の場合は、例えば、コンピュータシミュレーション上の移動体やゲーム上の移動体がこれに該当し、コンピュータシミュレーションに適用すれば、仮想空間における移動体の位置に応じたサービスを提供することができる。
【００３３】
また、提供されるサービスは、あらゆるサービスを含み、情報提供サービスに限らず、例えば、移動体またはその他の装置を動作することにより実現されるサービスであってもよいし、ユーザに対して割り引き等の所定の特典を付与するサービスであってもよい。
また、オブジェクト情報記憶手段は、オブジェクト情報をあらゆる手段でかつあらゆる時期に記憶するものであり、オブジェクト情報をあらかじめ記憶してあるものであってもよいし、オブジェクト情報をあらかじめ記憶することなく、本装置の動作時に外部からの入力等によってオブジェクト情報を記憶するようになっていてもよい。このことは、サービス情報の記憶についても同じである。
【００３４】
また、サービス提供システムは、単一の装置として実現するようにしてもよいし、複数の端末を通信可能に接続したネットワークシステムとして実現するようにしてもよい。後者の場合、各構成要素は、それぞれ通信可能に接続されていれば、複数の端末のうちどの端末に属していてもよい。
また、位置情報取得手段は、例えば、移動体が通信可能に接続する通信端末で移動体の位置を測定することにより位置情報を取得するようになっていてもよいし、ＧＰＳ（Global Positioning System）等を利用して移動体でその位置を測定したり、または移動体からの測定情報に基づいて上記通信端末で算出したりすることにより位置情報を取得するようになっていてもよいし、移動体が接続する基地局で移動体の位置を測定したり、または基地局からの測定情報に基づいて上記通信端末で算出したりすることにより、位置情報を取得するようになっていてもよい。
【００３５】
一方、上記目的を達成するために、本発明に係る請求項８記載の転送元端末は、請求項１記載のデータ転送システムにおける携帯端末、中間処理端末および転送先端末と通信可能に接続する端末であって、前記転送データを記憶するための転送データ記憶手段を備え、前記転送準備要求を受信したときは、前記転送データ記憶手段の転送データを前記中間処理端末に送信し、当該転送データの送信に伴って前記処理後転送データを受信したときは、受信した処理後転送データを前記転送データ記憶手段に記憶するとともに前記処理後転送データの転送を待機し、転送待機中に、前記転送要求とともに前記転送先アドレスを受信したときは、受信した転送先アドレスに基づいて前記転送データ記憶手段の処理後転送データを前記転送先端末に送信するようになっている。
【００３６】
このような構成であれば、請求項１記載のデータ転送システムにおける転送元端末と同等の作用が得られる。
さらに、本発明に係る請求項９記載の転送元端末は、請求項３記載のデータ転送システムにおける携帯端末、中間処理端末および転送先端末と通信可能に接続する端末であって、前記転送データを記憶するための転送データ記憶手段を備え、前記転送準備要求を受信したときは、前記アクセス情報を前記携帯端末に送信する一方、前記転送データ記憶手段の転送データを前記中間処理端末に送信し、当該転送データの送信に伴って前記処理後転送データを受信したときは、受信した処理後転送データを前記転送データ記憶手段に記憶するようになっている。
【００３７】
このような構成であれば、請求項３記載のデータ転送システムにおける転送元端末と同等の作用が得られる。
さらに、本発明に係る請求項１０記載の転送元端末は、請求項５記載のデータ転送システムにおける携帯端末および中間処理端末と通信可能に接続する端末であって、前記転送データを記憶するための転送データ記憶手段を備え、前記転送準備要求を受信したときは、前記転送データ記憶手段の転送データを前記中間処理端末に送信するようになっている。
【００３８】
このような構成であれば、請求項５記載のデータ転送システムにおける転送元端末と同等の作用が得られる。
一方、上記目的を達成するために、本発明に係る請求項１１記載の中間処理端末は、請求項１記載のデータ転送システムにおける転送元端末と通信可能に接続する端末であって、前記転送データを受信したときは、受信した転送データを中間処理し、中間処理した処理後転送データを前記転送元端末に送信するようになっている。
【００３９】
このような構成であれば、請求項１記載のデータ転送システムにおける中間処理端末と同等の作用が得られる。
さらに、本発明に係る請求項１２記載の中間処理端末は、請求項５記載のデータ転送システムにおける転送元端末および転送先端末と通信可能に接続する端末であって、前記処理後転送データを記憶するための処理後転送データ記憶手段を備え、前記転送データを受信したときは、受信した転送データを中間処理し、中間処理した処理後転送データを前記処理後転送データ記憶手段に記憶するようになっている。
【００４０】
このような構成であれば、請求項５記載のデータ転送システムにおける中間処理端末と同等の効果が得られる。
以上では、上記目的を達成するためのデータ転送システム、転送元端末および中間処理端末を提案したが、これに限らず、上記目的を達成するために、次に掲げる第１ないし第５のプログラムを提案することができる。
【００４１】
第１のプログラムは、コンピュータからなる請求項８記載の転送元端末に実行させるためのプログラムであって、前記転送準備要求を受信したときは、前記転送データ記憶手段の転送データを前記中間処理端末に送信し、当該転送データの送信に伴って前記処理後転送データを受信したときは、受信した処理後転送データを前記転送データ記憶手段に記憶するとともに前記処理後転送データの転送を待機し、転送待機中に、前記転送要求とともに前記転送先アドレスを受信したときは、受信した転送先アドレスに基づいて前記転送データ記憶手段の処理後転送データを前記転送先端末に送信する処理を実行させるためのプログラムである。
【００４２】
このような構成であれば、第１のプログラムが転送元端末によって読み取られ、読み取られたプログラムに従って転送元端末が実行したときは、請求項８記載の転送元端末と同等の作用および効果が得られる。
第２のプログラムは、コンピュータからなる請求項８記載の転送元端末に実行させるためのプログラムであって、前記転送準備要求を受信したときは、前記アクセス情報を前記携帯端末に送信する一方、前記転送データ記憶手段の転送データを前記中間処理端末に送信し、当該転送データの送信に伴って前記処理後転送データを受信したときは、受信した処理後転送データを前記転送データ記憶手段に記憶する処理を実行させるためのプログラムである。
【００４３】
このような構成であれば、第２のプログラムが転送元端末によって読み取られ、読み取られたプログラムに従って転送元端末が実行したときは、請求項８記載の転送元端末と同等の作用および効果が得られる。
第３のプログラムは、コンピュータからなる請求項１０記載の転送元端末に実行させるためのプログラムであって、前記転送準備要求を受信したときは、前記転送データ記憶手段の転送データを前記中間処理端末に送信する処理を実行させるためのプログラムである。
【００４４】
このような構成であれば、第３のプログラムが転送元端末によって読み取られ、読み取られたプログラムに従って転送元端末が実行したときは、請求項１０記載の転送元端末と同等の作用および効果が得られる。
第４のプログラムは、コンピュータからなる請求項１１記載の中間処理端末に実行させるためのプログラムであって、前記転送データを受信したときは、受信した転送データを中間処理し、中間処理した処理後転送データを前記転送元端末に送信する処理を実行させるためのプログラムである。
【００４５】
このような構成であれば、第４のプログラムが中間処理端末によって読み取られ、読み取られたプログラムに従って中間処理端末が実行したときは、請求項１１記載の中間処理端末と同等の作用および効果が得られる。
第５のプログラムは、コンピュータからなる請求項１２記載の中間処理端末に実行させるためのプログラムであって、前記転送データを受信したときは、受信した転送データを中間処理し、中間処理した処理後転送データを前記処理後転送データ記憶手段に記憶する処理を実行させるためのプログラムである。
【００４６】
このような構成であれば、第５のプログラムが中間処理端末によって読み取られ、読み取られたプログラムに従って中間処理端末が実行したときは、請求項１２記載の中間処理端末と同等の作用および効果が得られる。
【００４７】
【発明の実施の形態】
以下、本発明の第１の実施の形態を図面を参照しながら説明する。図１ないし図６は、本発明に係るデータ転送システム、転送元端末および中間処理端末の第１の実施の形態を示す図である。
本実施の形態は、本発明に係るデータ転送システム、転送元端末および中間処理端末を、図１に示すように、リモコン端末２００を使って、コンピュータ１００に蓄積された音楽データをオーディオ機器３００に転送して再生するとともに、データ転送の際に、音楽データに対して所定の音響効果処理を行う場合について適用したものである。
【００４８】
まず、本発明を適用するネットワークシステムの構成を図１を参照しながら説明する。図１は、本発明を適用するネットワークシステムの構成を示すブロック図である。
インターネット１９９には、図１に示すように、コンピュータ１００と、データの転送に際して中間処理を行う中間処理端末２５０と、オーディオ機器３００とが接続されている。また、コンピュータ１００およびオーディオ機器３００は、リモコン端末２００と無線通信を行うようになっている。
【００４９】
次に、コンピュータ１００の構成を図２を参照しながら詳細に説明する。図２は、コンピュータ１００の構成を示すブロック図である。
コンピュータ１００は、図２に示すように、制御プログラムに基づいて演算およびシステム全体を制御するＣＰＵ３０と、所定領域にあらかじめＣＰＵ３０の制御プログラム等を格納しているＲＯＭ３２と、ＲＯＭ３２等から読み出したデータやＣＰＵ３０の演算過程で必要な演算結果を格納するためのＲＡＭ３４と、外部装置に対してデータの入出力を媒介するＩ／Ｆ３８とで構成されており、これらは、データを転送するための信号線であるバス３９で相互にかつデータ授受可能に接続されている。
【００５０】
Ｉ／Ｆ３８には、外部装置として、ヒューマンインターフェースとしてデータの入力が可能なキーボードやマウス等からなる入力装置４０と、データやテーブル等をファイルとして格納する記憶装置４２と、画像信号に基づいて画面を表示する表示装置４４と、リモコン端末２００と無線通信を行う無線通信装置４６と、インターネット１９９に接続するための信号線とが接続されている。
【００５１】
ＣＰＵ３０は、マイクロプロセッシングユニットＭＰＵ等からなり、ＲＯＭ３２の所定領域に格納されている所定のプログラムを起動させ、そのプログラムに従って、図３のフローチャートに示す転送準備要求応答処理を実行するようになっている。図３は、転送準備要求応答処理を示すフローチャートである。
転送準備要求応答処理は、リモコン端末２００からの転送準備要求に応じて、記憶装置４２のデータのうち転送対象となる音楽データの転送を待機する処理であって、ＣＰＵ３０において実行されると、図３に示すように、まず、ステップＳ１００に移行するようになっている。
【００５２】
ステップＳ１００では、無線通信装置４６により転送準備要求を受信したか否かを判定し、転送準備要求を受信したと判定したとき(Yes)は、ステップＳ１０２に移行するが、そうでないと判定したとき(No)は、転送準備要求を受信するまでステップＳ１００で待機する。
ステップＳ１０２では、無線通信装置４６により、コンサートホールで聴いているかのような音響効果（ホール音響効果）を音楽データに与えることを要求するホール音響効果要求を受信したか否かを判定し、ホール音響効果要求を受信したと判定したとき(Yes)は、ステップＳ１０４に移行して、ホール音響効果処理要求とともに記憶装置４２の音楽データを中間処理端末２５０に送信し、ステップＳ１０６に移行する。
【００５３】
ステップＳ１０６では、音響効果処理を行った処理後音楽データを受信したか否かを判定し、処理後音楽データを受信したと判定したとき(Yes)は、ステップＳ１０８に移行するが、そうでないと判定したとき(No)は、処理後音楽データを受信するまでステップＳ１０６で待機する。
ステップＳ１０８では、受信した処理後音楽データを記憶装置４２に格納し、ステップＳ１１０に移行して、ブロードキャスト送信による転送要求を受信したか否かを判定し、転送要求を受信したと判定したとき(Yes)は、ステップＳ１１２に移行するが、そうでないと判定したとき(No)は、転送要求を受信するまでステップＳ１１０で待機する。
【００５４】
ステップＳ１１２では、転送要求の受信に続けてブロードキャスト送信による転送先アドレスを受信し、ステップＳ１１４に移行して、受信した転送先アドレスに基づいて記憶装置４２の音楽データをオーディオ機器３００に送信し、一連の処理を終了して元の処理に復帰させる。
一方、ステップＳ１０２で、ホール音響効果要求を受信しないと判定したとき(No)は、ステップＳ１１６に移行して、無線通信装置４６により、比較的狭い室内で聴いているかのような音響効果（ルーム音響効果）を音楽データに与えることを要求するルーム音響効果要求を受信したか否かを判定し、ルーム音響効果要求を受信したと判定したとき(Yes)は、ステップＳ１１８に移行して、ルーム音響効果処理要求とともに記憶装置４２の音楽データを中間処理端末２５０に送信し、ステップＳ１０６に移行する。
【００５５】
一方、ステップＳ１１６で、ルーム音響効果要求を受信しないと判定したとき(No)は、ステップＳ１０２に移行する。
次に、リモコン端末２００の構成を詳細に説明する。
リモコン端末２００は、コンピュータ１００と同様に、ＣＰＵ、ＲＯＭ、ＲＡＭおよびＩ／Ｆ等をバス接続した一般的なコンピュータと同一機能を有して構成されており、Ｉ／Ｆには、ヒューマンインターフェースとして複数のキーによりデータの入力が可能なキーパネルと、画像信号に基づいて画面を表示するＬＣＤ（Liquid Crystal Display）と、コンピュータ１００およびオーディオ機器３００と無線通信を行う無線通信装置とが接続されている。
【００５６】
リモコン端末２００のＣＰＵは、マイクロプロセッシングユニットＭＰＵ等からなり、ＲＯＭの所定領域に格納されている所定のプログラムを起動させ、そのプログラムに従って、図４のフローチャートに示す転送要求処理を実行するようになっている。図４は、転送要求処理を示すフローチャートである。
転送要求処理は、ユーザからの指示に応じて、コンピュータ１００に転送準備要求を、オーディオ機器３００に転送開始要求をそれぞれ送信する処理であって、ＣＰＵにおいて実行されると、図４に示すように、まず、ステップＳ２００に移行するようになっている。
【００５７】
ステップＳ２００では、ユーザにより転送準備が指示されたか否かを判定し、転送準備が指示されたと判定したとき(Yes)は、ステップＳ２０２に移行して、無線通信装置により転送準備要求を送信し、ステップＳ２０４に移行する。
ステップＳ２０４では、ユーザによりホール音響効果が指示されたか否かを判定し、ホール音響効果が指示されたと判定したとき(Yes)は、ステップＳ２０６に移行して、無線通信装置によりホール音響効果要求を送信し、一連の処理を終了して元の処理に復帰させる。
【００５８】
一方、ステップＳ２０４で、ホール音響効果が指示されないと判定したとき(No)は、ステップＳ２０８に移行して、ユーザによりルーム音響効果が指示されたか否かを判定し、ルーム音響効果が指示されたと判定したとき(No)は、ステップＳ２１０に移行して、無線通信装置によりルーム音響効果要求を送信し、一連の処理を終了して元の処理に復帰させる。
【００５９】
一方、ステップＳ２０８で、ルーム音響効果が指示されないと判定したとき(No)は、ステップＳ２０４に移行する。
一方、ステップＳ２００で、ユーザにより転送準備が指示されないと判定したとき(No)は、ステップＳ２１２に移行して、ユーザにより転送開始が指示されたか否かを判定し、転送開始が指示されたと判定したとき(Yes)は、ステップＳ２１４に移行して、無線通信装置により転送開始要求を送信し、一連の処理を終了して元の処理に復帰させる。
【００６０】
一方、ステップＳ２１２で、転送開始が指示されないと判定したとき(No)は、ステップＳ２００に移行する。
次に、中間処理端末２５０の構成を詳細に説明する。
中間処理端末２５０は、コンピュータ１００と同様に、ＣＰＵ、ＲＯＭ、ＲＡＭおよびＩ／Ｆ等をバス接続した一般的なコンピュータと同一機能を有して構成されており、Ｉ／Ｆには、入力装置と、記憶装置と、表示装置と、インターネット１９９に接続するための信号線とが接続されている。
【００６１】
中間処理端末２５０のＣＰＵは、マイクロプロセッシングユニットＭＰＵ等からなり、ＲＯＭの所定領域に格納されている所定のプログラムを起動させ、そのプログラムに従って、図５のフローチャートに示す音響効果処理を実行するようになっている。図５は、音響効果処理を示すフローチャートである。
音響効果処理は、ホール音響効果またはルーム音響効果を音楽データに与える処理であって、ＣＰＵにおいて実行されると、図５に示すように、まず、ステップＳ３００に移行するようになっている。
【００６２】
ステップＳ３００では、ホール音響効果処理要求を受信したか否かを判定し、ホール音響効果処理要求を受信したと判定したとき(Yes)は、ステップＳ３０２に移行して、音楽データを受信し、ステップＳ３０４に移行して、受信した音楽データにホール音響効果を与える処理を実行し、ステップＳ３０６に移行して、音響効果処理を行った処理後音楽データをコンピュータ１００に送信し、一連の処理を終了して元の処理に復帰させる。
【００６３】
一方、ステップＳ３００で、ホール音響効果処理要求を受信しないと判定したとき(No)は、ステップＳ３０８に移行して、ルーム音響効果処理要求を受信したか否かを判定し、ルーム音響効果処理要求を受信したと判定したとき(Yes)は、ステップＳ３１０に移行する。
ステップＳ３１０では、音楽データを受信し、ステップＳ３１２に移行して、受信した音楽データにルーム音響効果を与える処理を実行し、ステップＳ３０６に移行する。
【００６４】
一方、ステップＳ３０８で、ルーム音響効果処理要求を受信しないと判定したとき(No)は、ステップＳ３００に移行する。
次に、オーディオ機器３００の構成を詳細に説明する。
オーディオ機器３００は、コンピュータ１００と同様に、ＣＰＵ、ＲＯＭ、ＲＡＭおよびＩ／Ｆ等をバス接続した一般的なコンピュータと同一機能を有して構成されており、Ｉ／Ｆには、リモコン端末２００と無線通信を行う無線通信装置と、インターネット１９９に接続するための信号線とが接続されている。
【００６５】
オーディオ機器３００のＣＰＵは、マイクロプロセッシングユニットＭＰＵ等からなり、ＲＯＭの所定領域に格納されている所定のプログラムを起動させ、そのプログラムに従って、図６のフローチャートに示す転送要求処理を実行するようになっている。図６は、転送開始要求応答処理を示すフローチャートである。
転送開始要求応答処理は、リモコン端末２００からの転送開始要求に応じて、コンピュータ１００から処理後音楽データを取得する処理であって、ＣＰＵにおいて実行されると、図６に示すように、まず、ステップＳ４００に移行するようになっている。
【００６６】
ステップＳ４００では、無線通信装置により転送開始要求を受信したか否かを判定し、転送開始要求を受信したと判定したとき(Yes)は、ステップＳ４０２に移行するが、そうでないと判定したとき(No)は、転送開始要求を受信するまでステップＳ４００で待機する。
ステップＳ４０２では、オーディオ機器３００のネットワークアドレスを転送先アドレスとして転送要求とともにインターネット１９９にブロードキャスト送信し、ステップＳ４０４に移行して、処理後音楽データを受信し、一連の処理を終了して元の処理に復帰させる。
【００６７】
次に、上記第１の実施の形態の動作を説明する。
コンピュータ１００に蓄積された音楽データをオーディオ機器３００に転送して再生するには、ユーザは、まず、リモコン端末２００をコンピュータ１００に向け、リモコン端末２００で転送準備を指示する。
リモコン端末２００では、転送準備が指示されると、ステップＳ２００，Ｓ２０２を経て、転送準備要求が無線通信装置から送信され、リモコン端末２００がコンピュータ１００に向けられていることから、無線通信によりコンピュータ１００に転送準備要求が送信される。続けて、ユーザは、例えば、音楽データにホール音響効果を与えるために、ホール音響効果を指示する。
【００６８】
リモコン端末２００では、ホール音響効果が指示されると、ステップＳ２０４，Ｓ２０６を経て、ホール音響効果要求が無線通信装置から送信され、同様に、無線通信によりコンピュータ１００にホール音響効果要求が送信される。
コンピュータ１００では、転送準備要求およびこれに続けてホール音響効果要求を受信すると、ステップＳ１００〜Ｓ１０４を経て、ホール音響効果処理要求とともに記憶装置４２の音楽データが中間処理端末２５０に送信される。
【００６９】
中間処理端末２５０では、ホール音響効果処理要求とともに音楽データを受信すると、ステップＳ３００〜Ｓ３０６を経て、受信した音楽データにホール音響効果を与える処理が実行され、音響効果処理が行われた処理後音楽データがコンピュータ１００に送信される。
コンピュータ１００では、処理後音楽データを受信すると、ステップＳ１０６〜Ｓ１１０を経て、受信した処理後音楽データが記憶装置４２に格納され、処理後音楽データの転送を待機する転送待機状態となる。
【００７０】
次に、ユーザは、リモコン端末２００をオーディオ機器３００に向け、リモコン端末２００で転送開始を指示する。
リモコン端末２００では、転送開始が指示されると、ステップＳ２１２，Ｓ２１４を経て、転送開始要求が無線通信装置から送信され、リモコン端末２００がオーディオ機器３００に向けられていることから、無線通信によりオーディオ機器３００に転送開始要求が送信される。
【００７１】
オーディオ機器３００では、転送開始要求を受信すると、ステップＳ４００〜Ｓ４０４を経て、オーディオ機器３００のネットワークアドレスが転送先アドレスとして転送要求とともにインターネット１９９にブロードキャスト送信される。
コンピュータ１００では、転送待機中に、取得要求とともに転送先アドレスを受信すると、ステップＳ１１０〜Ｓ１１４を経て、受信した転送先アドレスに基づいて記憶装置４２の処理後音楽データがインターネット１９９を介してオーディオ機器３００に送信される。
【００７２】
オーディオ機器３００では、処理後音楽データを受信すると、受信した処理後音楽データに基づいて音楽が再生される。この場合、音楽の再生は、自動的に行ってもよいが、ユーザの指示により行ってもよい。これにより、ユーザは、コンサートホールで聴いているかのような音響効果で演奏を楽しむことができる。
また、音楽データにルーム音響効果を与えるには、ユーザは、リモコン端末２００をコンピュータ１００に向け、リモコン端末２００で転送準備を指示した後、ルーム音響効果を指示すればよい。
【００７３】
コンピュータ１００では、転送準備要求およびこれに続けてルーム音響効果要求を受信すると、ステップＳ１００，Ｓ１０２，Ｓ１１６，Ｓ１１８を経て、ルーム音響効果処理要求とともに記憶装置４２の音楽データが中間処理端末２５０に送信される。
中間処理端末２５０では、ルーム音響効果処理要求とともに音楽データを受信すると、ステップＳ３００，Ｓ３０８〜Ｓ３１２，Ｓ３０６を経て、受信した音楽データにルーム音響効果を与える処理が実行され、音響効果処理が行われた処理後音楽データがコンピュータ１００に送信される。
【００７４】
コンピュータ１００では、処理後音楽データを受信すると、ステップＳ１０６〜Ｓ１１０を経て、受信した処理後音楽データが記憶装置４２に格納され、処理後音楽データの転送を待機する転送待機状態となる。その後は、音楽データにホール音響効果を与える場合の動作と同様である。
このようにして、本実施の形態では、コンピュータ１００は、転送準備要求を受信したときは、記憶装置４２の音楽データを中間処理端末２５０に送信し、これに伴って処理後音楽データを受信したときは、受信した処理後音楽データを記憶装置４２に記憶するとともに処理後音楽データの転送を待機し、転送待機中に、転送要求とともに転送先アドレスを受信したときは、受信した転送先アドレスに基づいて記憶装置４２の処理後音楽データをオーディオ機器３００に送信するようになっており、リモコン端末２００は、ユーザからの転送準備の指示に応じて転送準備要求をコンピュータ１００に送信する一方、ユーザからの転送開始の指示に応じて転送開始要求をオーディオ機器３００に送信するようになっており、中間処理端末２５０は、音楽データを受信したときは、受信した音楽データに所定の音響効果を与える処理を行い、その処理後音楽データをコンピュータ１００に送信するようになっており、オーディオ機器３００は、転送開始要求を受信したときは、オーディオ機器３００のネットワークアドレスを転送先アドレスとして転送要求とともにブロードキャスト送信するようになっている。
【００７５】
これにより、リモコン端末２００で転送準備および転送開始を指示するだけで、コンピュータ１００からオーディオ機器３００に音楽データを転送することができるとともに、データの転送に際して所定の音響効果処理を行うことができるので、従来に比して、パソコンの操作に不慣れなユーザであっても、音楽データの転送および転送に伴う音響効果処理を比較的手軽に行うことができる。また、コンピュータ１００とリモコン端末２００との間およびリモコン端末２００とオーディオ機器３００との間では、音楽データおよび処理後音楽データを直接送受信しなくてすむので、それらの間で音楽データおよび処理後音楽データを送受信する構成に比して、リモコン端末２００の通信負荷およびメモリ負荷を低減することができる。
【００７６】
上記第１の実施の形態において、音楽データは、請求項１、８または１１記載の転送データに対応し、処理後音楽データは、請求項１、８または１１記載の処理後転送データに対応し、コンピュータ１００は、請求項１ないし２、８または１１記載の転送元端末に対応し、リモコン端末２０は、請求項１または８記載の携帯端末に対応している。また、オーディオ機器３００は、請求項１ないし２または８記載の転送先端末に対応し、記憶装置４２は、請求項１または８記載の転送データ記憶手段に対応している。
【００７７】
次に、本発明の第２の実施の形態を図面を参照しながら説明する。図７ないし図１０は、本発明に係るデータ転送システム、転送元端末および中間処理端末の第２の実施の形態を示す図である。なお、以下、上記第１の実施の形態と異なる部分についてのみ説明し、上記第１の実施の形態と重複する部分については同一の符号を付して説明を省略する。
【００７８】
本実施の形態は、本発明に係るデータ転送システム、転送元端末および中間処理端末を、図１に示すように、リモコン端末２００を使って、コンピュータ１００に蓄積された音楽データをオーディオ機器３００に転送して再生するとともに、データ転送の際に、音楽データに対して所定の音響効果処理を行う場合について適用したものであり、上記第１の実施の形態と異なるのは、オーディオ機器３００が、リモコン端末２００から与えられたネットワークアドレスに基づいて処理後音楽データをコンピュータ１００から取得する点にある。
【００７９】
まず、転送準備要求応答処理を図７を参照しながら説明する。図７は、転送準備要求応答処理を示すフローチャートである。
転送準備要求応答処理は、リモコン端末２００からの転送準備要求に応じて、記憶装置４２のデータのうち転送対象となる音楽データの転送を待機する処理であって、ＣＰＵ３０において実行されると、図７に示すように、まず、ステップＳ１５０に移行するようになっている。
【００８０】
ステップＳ１５０では、無線通信装置４６により転送準備要求を受信したか否かを判定し、転送準備要求を受信したと判定したとき(Yes)は、ステップＳ１５２に移行するが、そうでないと判定したとき(No)は、転送準備要求を受信するまでステップＳ１５０で待機する。
ステップＳ１５２では、無線通信装置４６によりホール音響効果要求を受信したか否かを判定し、ホール音響効果要求を受信したと判定したとき(Yes)は、ステップＳ１５４に移行して、ホール音響効果処理要求とともに記憶装置４２の音楽データを中間処理端末２５０に送信し、ステップＳ１５６に移行する。
【００８１】
ステップＳ１５６では、記憶装置４２における音楽データの格納位置を示すアドレス（例えば、ＵＲＬ（Universal Resource Locater））をリモコン端末２００に送信し、ステップＳ１５８に移行する。
ステップＳ１５８では、処理後音楽データを受信したか否かを判定し、処理後音楽データを受信したと判定したとき(Yes)は、ステップＳ１６０に移行するが、そうでないと判定したとき(No)は、処理後音楽データを受信するまでステップＳ１５８で待機する。
【００８２】
ステップＳ１６０では、受信した処理後音楽データを記憶装置４２に格納し、一連の処理を終了して元の処理に復帰させる。
一方、ステップＳ１５２で、ホール音響効果要求を受信しないと判定したとき(No)は、ステップＳ１６２に移行して、無線通信装置４６によりルーム音響効果要求を受信したか否かを判定し、ルーム音響効果要求を受信したと判定したとき(Yes)は、ステップＳ１６４に移行して、ルーム音響効果処理要求とともに記憶装置４２の音楽データを中間処理端末２５０に送信し、ステップＳ１５６に移行する。
【００８３】
一方、ステップＳ１６２で、ルーム音響効果要求を受信しないと判定したとき(No)は、ステップＳ１５２に移行する。
次に、転送要求処理を図８を参照しながら説明する。図８は、転送要求処理を示すフローチャートである。
転送要求処理は、ユーザからの指示に応じて、コンピュータ１００に転送準備要求を、オーディオ機器３００に転送開始要求をそれぞれ送信する処理であって、ＣＰＵにおいて実行されると、図８に示すように、まず、ステップＳ２５０に移行するようになっている。
【００８４】
ステップＳ２５０では、ユーザにより転送準備が指示されたか否かを判定し、転送準備が指示されたと判定したとき(Yes)は、ステップＳ２５２に移行して、無線通信装置により転送準備要求を送信し、ステップＳ２５４に移行する。
ステップＳ２５４では、ユーザによりホール音響効果が指示されたか否かを判定し、ホール音響効果が指示されたと判定したとき(Yes)は、ステップＳ２５６に移行して、無線通信装置によりホール音響効果要求を送信し、ステップＳ２５８に移行する。
【００８５】
ステップＳ２５８では、転送準備要求の送信に伴って無線通信装置により音楽データへのアドレスを受信したか否かを判定し、音楽データへのアドレスを受信したと判定したとき(Yes)は、ステップＳ２６０に移行して、受信した音楽データへのアドレスをＲＡＭの所定領域に格納し、一連の処理を終了して元の処理に復帰させる。
【００８６】
一方、ステップＳ２５８で、音楽データへのアドレスを受信しないと判定したとき(No)は、音楽データへのアドレスを受信するまでステップＳ２５８で待機する。
一方、ステップＳ２５４で、ホール音響効果が指示されないと判定したとき(No)は、ステップＳ２６２に移行して、ユーザによりルーム音響効果が指示されたか否かを判定し、ルーム音響効果が指示されたと判定したとき(No)は、ステップＳ２６４に移行して、無線通信装置によりルーム音響効果要求を送信し、ステップＳ２５８に移行する。
【００８７】
一方、ステップＳ２６２で、ルーム音響効果が指示されないと判定したとき(No)は、ステップＳ２５４に移行する。
一方、ステップＳ２５０で、ユーザにより転送準備が指示されないと判定したとき(No)は、ステップＳ２６６に移行して、ユーザにより転送開始が指示されたか否かを判定し、転送開始が指示されたと判定したとき(Yes)は、ステップＳ２６８に移行して、無線通信装置により、ＲＡＭに格納されている音楽データへのアドレスを転送開始要求とともに送信し、一連の処理を終了して元の処理に復帰させる。
【００８８】
一方、ステップＳ２６６で、転送開始が指示されないと判定したとき(No)は、ステップＳ２５０に移行する。
次に、音響効果処理を図９を参照しながら説明する。図９は、音響効果処理を示すフローチャートである。
音響効果処理は、ホール音響効果またはルーム音響効果を音楽データに与える処理であって、ＣＰＵにおいて実行されると、図９に示すように、まず、ステップＳ３５０に移行するようになっている。
【００８９】
ステップＳ３５０では、ホール音響効果処理要求を受信したか否かを判定し、ホール音響効果処理要求を受信したと判定したとき(Yes)は、ステップＳ３５２に移行して、音楽データを受信し、ステップＳ３５４に移行して、受信した音楽データにホール音響効果を与える処理を実行し、ステップＳ３５６に移行して、音響効果処理を行った処理後音楽データをコンピュータ１００に送信し、一連の処理を終了して元の処理に復帰させる。
【００９０】
一方、ステップＳ３５０で、ホール音響効果処理要求を受信しないと判定したとき(No)は、ステップＳ３５８に移行して、ルーム音響効果処理要求を受信したか否かを判定し、ルーム音響効果処理要求を受信したと判定したとき(Yes)は、ステップＳ３６０に移行する。
ステップＳ３６０では、音楽データを受信し、ステップＳ３６２に移行して、受信した音楽データにルーム音響効果を与える処理を実行し、ステップＳ３５６に移行する。
【００９１】
一方、ステップＳ３５８で、ルーム音響効果処理要求を受信しないと判定したとき(No)は、ステップＳ３５０に移行する。
次に、転送開始要求応答処理を図１０を参照しながら説明する。図１０は、転送開始要求応答処理を示すフローチャートである。
転送開始要求応答処理は、リモコン端末２００からの転送開始要求に応じて、コンピュータ１００から処理後音楽データを取得する処理であって、ＣＰＵにおいて実行されると、図１０に示すように、まず、ステップＳ４５０に移行するようになっている。
【００９２】
ステップＳ４５０では、無線通信装置により転送開始要求を受信したか否かを判定し、転送開始要求を受信したと判定したとき(Yes)は、ステップＳ４５２に移行するが、そうでないと判定したとき(No)は、転送開始要求を受信するまでステップＳ４５０で待機する。
ステップＳ４５２では、音楽データへのアドレスを受信し、ステップＳ２５４に移行して、受信した音楽データへのアドレスに基づいてコンピュータ１００から処理後音楽データを取得し、一連の処理を終了して元の処理に復帰させる。
【００９３】
次に、上記第２の実施の形態の動作を説明する。
コンピュータ１００に蓄積された音楽データをオーディオ機器３００に転送して再生するには、ユーザは、まず、リモコン端末２００をコンピュータ１００に向け、リモコン端末２００で転送準備を指示する。
リモコン端末２００では、転送準備が指示されると、ステップＳ２５０，Ｓ２５２を経て、転送準備要求が無線通信装置から送信され、リモコン端末２００がコンピュータ１００に向けられていることから、無線通信によりコンピュータ１００に転送準備要求が送信される。続けて、ユーザは、例えば、音楽データにホール音響効果を与えるために、ホール音響効果を指示する。
【００９４】
リモコン端末２００では、ホール音響効果が指示されると、ステップＳ２５４，Ｓ２５６を経て、ホール音響効果要求が無線通信装置から送信され、同様に、無線通信によりコンピュータ１００にホール音響効果要求が送信される。
コンピュータ１００では、転送準備要求およびこれに続けてホール音響効果要求を受信すると、ステップＳ１５０〜Ｓ１５４を経て、ホール音響効果処理要求とともに記憶装置４２の音楽データが中間処理端末２５０に送信される。
【００９５】
中間処理端末２５０では、ホール音響効果処理要求とともに音楽データを受信すると、ステップＳ３５０〜Ｓ３５６を経て、受信した音楽データにホール音響効果を与える処理が実行され、音響効果処理が行われた処理後音楽データがコンピュータ１００に送信される。
コンピュータ１００では、送信処理後音楽データを受信すると、ステップＳ１５８，Ｓ１６０を経て、受信した処理後音楽データが記憶装置４２に格納され、処理後音楽データの転送を待機する転送待機状態となる。
【００９６】
一方、コンピュータ１００では、転送準備要求を受信すると、ステップＳ１５６を経て、音楽データへのアドレスがリモコン端末２００に送信される。
リモコン端末２００では、音楽データへのアドレスを受信すると、ステップＳ２５８，Ｓ２６０を経て、受信した音楽データへのアドレスがＲＡＭの所定領域に格納される。
【００９７】
次に、ユーザは、リモコン端末２００をオーディオ機器３００に向け、リモコン端末２００で転送開始を指示する。
リモコン端末２００では、転送開始が指示されると、ステップＳ２６６，Ｓ２６８を経て、ＲＡＭに格納されている音楽データへのアドレスが転送開始要求とともに無線通信装置から送信され、リモコン端末２００がオーディオ機器３００に向けられていることから、無線通信により転送開始要求とともに音楽データへのアドレスがオーディオ機器３００に送信される。
【００９８】
オーディオ機器３００では、転送開始要求とともに音楽データへのアドレスを受信すると、ステップＳ４５０〜Ｓ４５４を経て、受信した音楽データへのアドレスに基づいてコンピュータ１００から音楽データが取得され、取得された音楽データに基づいて音楽が再生される。この場合、音楽の再生は、自動的に行ってもよいが、ユーザの指示により行ってもよい。これにより、ユーザは、コンサートホールで聴いているかのような音響効果で演奏を楽しむことができる。
【００９９】
また、音楽データにルーム音響効果を与えるには、ユーザは、リモコン端末２００をコンピュータ１００に向け、リモコン端末２００で転送準備を指示した後、ルーム音響効果を指示すればよい。
コンピュータ１００では、転送準備要求およびこれに続けてルーム音響効果要求を受信すると、ステップＳ１５０，Ｓ１５２，Ｓ１６２，Ｓ１６４を経て、ルーム音響効果処理要求とともに記憶装置４２の音楽データが中間処理端末２５０に送信される。
【０１００】
中間処理端末２５０では、ルーム音響効果処理要求とともに音楽データを受信すると、ステップＳ３５０，Ｓ３５８〜Ｓ３６２，Ｓ３５６を経て、受信した音楽データにルーム音響効果を与える処理が実行され、音響効果処理が行われた処理後音楽データがコンピュータ１００に送信される。
コンピュータ１００では、処理後音楽データを受信すると、ステップＳ１５８，Ｓ１６０を経て、受信した処理後音楽データが記憶装置４２に格納され、処理後音楽データの転送を待機する転送待機状態となる。その後は、音楽データにホール音響効果を与える場合の動作と同様である。
【０１０１】
このようにして、本実施の形態では、コンピュータ１００は、転送準備要求を受信したときは、記憶装置４２の音楽データにアクセス可能なアドレスをリモコン端末２００に送信する一方、記憶装置４２の音楽データを中間処理端末２５０に送信し、これに伴って処理後音楽データを受信したときは、受信した処理後音楽データを記憶装置４２に記憶するようになっており、リモコン端末２００は、ユーザからの転送準備の指示に応じて、転送準備要求をコンピュータ１００に送信し、これに伴って音楽データへのアドレスを受信したときは、受信した音楽データへのアドレスをＲＡＭに記憶する一方、ユーザからの転送開始の指示に応じてＲＡＭに格納されている音楽データへのアドレスを転送開始送要求とともにオーディオ機器３００に送信するようになっており、中間処理端末２５０は、音楽データを受信したときは、受信した音楽データに所定の音響効果を与える処理を行い、その処理後音楽データをコンピュータ１００に送信するようになっており、オーディオ機器３００は、転送開始要求とともに音楽データへのアドレスを受信したときは、受信した音楽データへのアドレスに基づいてコンピュータ１００から音楽データを取得するようになっている。
【０１０２】
これにより、リモコン端末２００で転送準備および転送開始を指示するだけで、コンピュータ１００からオーディオ機器３００に音楽データを転送することができるとともに、データの転送に際して所定の音響効果処理を行うことができるので、従来に比して、パソコンの操作に不慣れなユーザであっても、音楽データの転送および転送に伴う音響効果処理を比較的手軽に行うことができる。また、コンピュータ１００とリモコン端末２００との間およびリモコン端末２００とオーディオ機器３００との間では、音楽データおよび処理後音楽データを直接送受信しなくてすむので、それらの間で音楽データおよび処理後音楽データを送受信する構成に比して、リモコン端末２００の通信負荷およびメモリ負荷を低減することができる。
【０１０３】
上記第２の実施の形態において、音楽データは、請求項３または９記載の転送データに対応し、処理後音楽データは、請求項３または９記載の処理後転送データに対応し、音楽データへのアドレスは、請求項３または９記載のアクセス情報に対応し、コンピュータ１００は、請求項１、３または９記載の転送元端末に対応している。また、リモコン端末２０は、請求項１、３または９記載の携帯端末に対応し、オーディオ機器３００は、請求項１、３または９記載の転送先端末に対応し、記憶装置４２は、請求項３または９記載の転送データ記憶手段に対応し、リモコン端末２００のＲＡＭは、請求項３記載のアクセス情報記憶手段に対応している。
【０１０４】
なお、上記第２の実施の形態においては、オーディオ機器３００は、転送開始要求とともに音楽データへのアドレスを受信したときは、受信したアドレスに基づいて処理後音楽データをコンピュータ１００から取得するように構成したが、これに限らず、コンピュータ１００に音楽データその他の種別のデータが格納されている場合は、データへのアドレスにそのデータの種別を示す種別情報を含め、受信したアドレスに含まれる種別情報により特定されるデータの種別が音楽データであるときは、受信したアドレスに基づいて処理後音楽データをコンピュータ１００から取得するように構成してもよい。
【０１０５】
これにより、オーディオ機器３００に音楽データ以外の種別のデータが転送される可能性を低減することができる。
この場合において、音楽データは、請求項４記載の転送データに対応し、音楽データへのアドレスは、請求項４記載のアクセス情報に対応し、コンピュータ１００は、請求項４記載の転送元端末に対応し、オーディオ機器３００は、請求項４記載の転送先端末に対応している。
【０１０６】
また、上記第１および第２の実施の形態においては、中間処理端末２５０で音響効果処理した処理後音楽データをコンピュータ１００に戻すように構成したが、これに限らず、中間処理端末２５０で音響効果処理した処理後音楽データを直接オーディオ機器３００に送信するように構成してもよい。具体的には、コンピュータ１００は、転送準備要求を受信したときは、記憶装置４２の音楽データを識別するためのＩＤ等の識別情報をリモコン端末２００に送信する一方、音楽データおよび識別情報を中間処理端末２５０に送信する。リモコン端末２００は、識別情報を記憶するためのＲＡＭを有し、ユーザからの転送準備の指示に応じて、転送準備要求をコンピュータ１００に送信し、これに伴って識別情報を受信したときは、受信した識別情報をＲＡＭに記憶する一方、ユーザからの転送開始の指示に応じてＲＡＭの識別情報を転送開始送要求とともにオーディオ機器３００に送信する。中間処理端末２５０は、音楽データおよび識別情報を受信したときは、受信した音楽データに所定の音響効果を与える処理を行い、その処理後音楽データを受信した識別情報と対応付けて記憶装置に記憶する。オーディオ機器３００は、転送開始要求とともに識別情報を受信したときは、受信した識別情報に基づいて処理後音楽データを中間処理端末２５０から取得する。
【０１０７】
この場合において、音楽データは、請求項５、６、１０または１２記載の転送データに対応し、処理後音楽データは、請求項５、６または１２記載の処理後転送データに対応し、コンピュータ１００は、請求項１、５、６または１０記載の転送元端末に対応し、オーディオ機器３００は、請求項１、５、６または１２記載の転送先端末に対応している。また、リモコン端末２００は、請求項１、５または６記載の携帯端末に対応し、記憶装置４２は、請求項５、６または１０記載の転送データ記憶手段に対応し、中間処理端末２５０の記憶装置は、請求項５、６または１２記載の処理後転送データ記憶手段に対応している。
【０１０８】
また、リモコン端末２００のＲＡＭは、請求項６記載の識別情報記憶手段に対応している。
また、上記第１および第２の実施の形態におけるシステムを、仮想オブジェクトを用いてサービスを提供するサービス提供システムに適用することもできる。具体的に、このサービス提供システムは、仮想オブジェクトにサービスを対応付けるとともに、実空間と対応させた仮想空間上に仮想オブジェクトを配置し、リモコン端末２００と仮想オブジェクトとの位置関係に基づいて、仮想オブジェクトに対応するサービスを提供するものである。そして、仮想オブジェクトの形状および配置位置に関するオブジェクト情報を、サービス内容を規定するサービス情報と対応付けて記憶するためのオブジェクト情報記憶装置と、リモコン端末２００の位置を特定するための位置情報を取得する位置情報取得装置とを備え、位置情報取得装置で取得した位置情報およびオブジェクト情報記憶装置のオブジェクト情報に基づいて、仮想オブジェクトの形状および配置位置により特定される仮想オブジェクトの内部領域内にリモコン端末２００が属していると判定したときは、オブジェクト情報記憶装置のサービス情報に基づいて、仮想オブジェクトに対応するサービスを提供する。
【０１０９】
このサービス提供システムに適用する場合には、コンピュータ１００またはオーディオ機器３００を仮想オブジェクトとして構成する。コンピュータ１００に相当する仮想オブジェクトは、所定の形状を有しかつ所定位置に配置されており、その内部領域内にリモコン端末２００が属している状態で転送準備の指示を入力したときは、音楽データの転送準備状態となるように見かけ上機能する。また、オーディオ機器３００に相当する仮想オブジェクトは、所定の形状を有しかつ所定位置に配置されており、その内部領域内にリモコン端末２００が属している状態で転送開始の指示を入力したときは、音楽データの転送準備状態となっていればその音楽データを再生するように見かけ上機能する。
【０１１０】
この場合において、リモコン端末２００は、請求項７記載の移動体に対応し、コンピュータ１００は、請求項７記載の転送元端末に対応し、オーディオ機器３００は、請求項７記載の転送先端末に対応し、オブジェクト情報記憶装置は、請求項７記載のオブジェクト情報記憶手段に対応し、位置情報取得装置は、請求項７記載の位置情報取得手段に対応している。
【０１１１】
また、上記第１および第２の実施の形態においては、データの転送に際して、中間処理端末２５０による中間処理を１段階介在させるように構成したが、これに限らず、複数段階の中間処理を介在させるように構成してもよい。２つの中間処理を介在させる場合を説明すると、第１の中間処理端末により、コンピュータ１００からの音楽データに対して第１の中間処理を行い、次いで、第２の中間処理端末により、第１の中間処理を行った音楽データに対して第２の中間処理を行い、コンピュータ１００に戻す。または直接オーディオ機器３００に送信する。
【０１１２】
また、上記第１および第２の実施の形態においては、中間処理端末２５０を設け、中間処理端末２５０により音響効果処理を行うように構成したが、これに限らず、中間処理端末２５０を設けず、コンピュータ２００およびオーディオ機器３００のいずれかまたは両方により音響効果処理を行うように構成してもよい。コンピュータ２００およびオーディオ機器３００の両方により行う場合は、音響効果処理のうち前段部分の処理をコンピュータ２００により行い、音響効果処理のうち後段部分の処理をオーディオ機器３００で行う。
【０１１３】
また、上記第１の実施の形態においては、オーディオ機器３００が転送先アドレスをブロードキャスト送信し、コンピュータ１００が、受信した転送先アドレスに基づいて処理後音楽データをオーディオ機器３００に送信するように構成したが、これに限らず、コンピュータ１００が転送元アドレスをブロードキャスト送信し、オーディオ機器３００が、受信した転送元アドレスに基づいてコンピュータ１００から処理後音楽データを取得するように構成してもよい。
【０１１４】
また、上記第１および第２の実施の形態においては、あらかじめ決まった音楽データを転送するように構成したが、これに限らず、コンピュータ１００は、リモコン端末２００からの転送準備要求を受信したときは、音楽データの一覧をリモコン端末２００に送信し、リモコン端末２００は、受信した一覧のなかから転送を希望する音楽データをユーザに選択させ、その選択結果をコンピュータ１００に送信し、コンピュータ１００は、選択結果を受信したときは、記憶装置４２の音楽データのうち選択されたものを転送対象するように構成してもよい。
【０１１５】
また、上記第１および第２の実施の形態においては、コンピュータ１００とリモコン端末２００との間およびリモコン端末２００とオーディオ機器３００との間では、音楽データまたは処理後音楽データを直接送受信しない構成としたが、リモコン端末２００の機能上差し支えなければ、コンピュータ１００とリモコン端末２００との間およびリモコン端末２００とオーディオ機器３００との間で音楽データまたは処理後音楽データを直接送受信するように構成してもよい。
【０１１６】
また、上記第１および第２の実施の形態においては、コンピュータ１００とオーディオ機器３００との間で処理後音楽データを直接送受信するように構成したが、これに限らず、中継端末を設け、コンピュータ１００とオーディオ機器３００との間では、中継端末を介して処理後音楽データを間接的に送受信するように構成してもよい。もちろん、中継端末は、一台に限らず複数台介在させるようにしてもさしつかえない。このことは、コンピュータ１００と中間処理端末２５０との間における送受信についても同様である。
【０１１７】
また、上記第１および第２の実施の形態においては、中間処理端末２５０は、あらかじめ規定された中間処理をサービスとして提供するように構成したが、これに限らず、外部（携帯端末その他の端末）からの要求に応じてサービス内容を登録し、リモコン端末２００で、中間処理端末２５０に登録されているサービスのうちいずれかを選択し、選択したサービスを提供するように構成してもよい。
【０１１８】
また、上記第１および第２の実施の形態においては、コンピュータ１００、中間処理端末２５０およびオーディオ機器３００をネットワークを介して相互に接続し、中間処理端末２５０を経由するサーバ経由型として構成したが、これに限らず、ブロードキャスト型やピアツーピア型として構成することもできる。
ブロードキャスト型は、中間処理端末２５０が不在で検索機能がなく、ブロードキャストが必須のものである。転送元端末は、リモコン端末２００からの転送準備の指示に応じてデータ転送を待機する。そして、リモコン端末２００からの転送開始の指示に応じて転送先端末が確定すると、転送先端末は、ブロードキャストを行う。転送元端末は、転送先アドレスを取得すると、サービス付加される内容を明記したブロードキャストを行う。受信可能なサービス提供端末は、転送元端末にメッセージを送信する。メッセージには、優先番号を付加する。転送元端末は、優先番号を参照して重み付けの最も強いサービス提供端末へとデータを送信する。一旦処理が終わったサービス提供端末は、再びブロードキャストを行う。
【０１１９】
ピアツーピア型は、中間処理端末２５０が不在で、データ交換を行うものである。各端末は、一般的にサーバントと呼ばれる、サーバとクライアントどちらの役割も持った端末であり、ネットワーク上にサービスを提供する。一つの端末で単独のサービスを提供してもよいし、複数のサービスを提供してもよい。サービスを提供／利用する端末がネットワークに接続されると、ブロードキャストを行い別の端末から反応があれば、そのアドレスを記憶する。（別の方法でもよい。）以上のような手続を行い、各端末が別端末に対してアドレス情報をいくつか保存するものとする。サービスを利用する端末は、自己の端末が持つアドレス情報に対して、期限付きで問い合わせを行う。各問い合わせを受けた端末は、端末自体で問い合わせのあったサービスを提供できない場合、期限を減らしながら、各端末が持つアドレス情報に対して再度問い合わせを発行する。以上のような形態でサービスの検索を行い、反応がない場合、転送先端末に対してデータの転送を行う。
【０１２０】
また、上記第１および第２の実施の形態においては、コンピュータ１００と中間処理端末２５０との間、およびコンピュータ１００とオーディオ機器３００との間で音楽データまたは処理後音楽データをそのまま送受信するように構成したが、これに限らず、リモコン端末２００で転送準備の指示を入力後、転送開始の指示を入力前に、リモコン端末２００を紛失し第三者に渡ったときに、その第三者が勝手にデータの転送を行えないようにするために、音楽データまたは処理後音楽データを暗号化するように構成してもよいし、所定キーを入力しないとデータの転送を開始しないように構成してもよい。
【０１２１】
また、上記第１および第２の実施の形態においては、リモコン端末２００を用いて構成したが、これに限らず、例えば、携帯電話やＰＤＡ（Personal Digital Assistant）等の携帯端末を用いて構成してもよい。
また、上記第１および第２の実施の形態において、図３ないし図１０のフローチャートに示す処理を実行するにあたってはいずれも、ＲＯＭにあらかじめ格納されている制御プログラムを実行する場合について説明したが、これに限らず、これらの手順を示したプログラムが記憶された記憶媒体から、そのプログラムをＲＡＭに読み込んで実行するようにしてもよい。
【０１２２】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【０１２３】
また、上記第１および第２の実施の形態においては、本発明に係るデータ転送システム、転送元端末および中間処理端末を、インターネット１９９からなるネットワークシステムに適用した場合について説明したが、これに限らず、例えば、インターネット１９９と同一方式により通信を行ういわゆるイントラネットに適用してもよい。もちろん、インターネット１９９と同一方式により通信を行うネットワークに限らず、通常のネットワークに適用することもできる。
【０１２４】
また、上記第１および第２の実施の形態においては、本発明に係るデータ転送システム、転送元端末および中間処理端末を、図１に示すように、リモコン端末２００を使って、コンピュータ１００に蓄積された音楽データをオーディオ機器３００に転送して再生するとともに、データ転送の際に、音楽データに対して所定の音響効果処理を行う場合について適用したが、これに限らず、本発明の主旨を逸脱しない範囲で他の場合にも適用可能である。例えば、次のような実施の形態を想定することができる。
【０１２５】
第１に、パソコンに文書データを蓄積しておき、リモコン端末２００からの転送要求に応じて、パソコンの文書データを編集して他のパソコンに転送することができる。ここで、文書データの編集を、上記第１および第２の実施の形態と同じ要領で中間処理端末２５０により行うようにすればよい。また、編集の態様としては、例えば、あるワープロソフトの文書形式を他のワープロソフトの文書形式に変換するということが考えられる。
【０１２６】
第２に、リモコン端末２００からの転送要求に応じて、テレビジョンで受信する音楽データのなかからＢＧＭ検索システムにより所望の音楽データを索出し、索出した音楽データを携帯端末や小型ヘッドホンステレオに転送することもできる。ここで、ＢＧＭ検索システムによる音楽データの検索を、上記第１および第２の実施の形態と同じ要領で中間処理端末２５０により行うようにすればよい。
【０１２７】
第３に、パソコンに文書データを蓄積しておき、リモコン端末２００からの転送要求に応じて、パソコンの文書データを携帯端末向けに最適化して携帯端末に転送することもできる。ここで、携帯端末向けにする最適化を、上記第１および第２の実施の形態と同じ要領で中間処理端末２５０により行うようにすればよい。また、最適化の形態としては、例えば、携帯端末の画面に表示可能な形式となるように文書データを最適化するということが考えられる。
【０１２８】
第４に、パソコンに文書データを蓄積しておき、リモコン端末２００からの転送要求に応じて、パソコンの文書データを点字データに変換して点字打ち出し機に転送することもできる。ここで、点字データの変換を、上記第１および第２の実施の形態と同じ要領で中間処理端末２５０により行うようにすればよい。
第５に、パソコンに文書データを蓄積しておき、リモコン端末２００からの転送要求に応じて、パソコンからプリンタに文書データを転送して印刷することができる。この場合も、上記第１および第２の実施の形態と同じ要領で、ユーザは、リモコン端末２００で印刷を希望する文書を選択し、印刷準備および印刷開始を指示するだけでよい。
【０１２９】
第６に、オーディオ機器３００に音楽データを蓄積しておき、リモコン端末２００からの転送要求に応じて、オーディオ機器３００からヘッドホンステレオに音楽データを転送して再生することができる。この場合も、上記第１および第２の実施の形態と同じ要領で、ユーザは、リモコン端末２００で再生を希望する楽曲を選択し、転送準備および転送開始を指示するだけでよい。
【０１３０】
第７に、商品のカタログに関するカタログ情報を店頭のパソコンに蓄積しておき、リモコン端末２００からの転送要求に応じて、店頭のパソコンからユーザのパソコンにカタログ情報を転送することができる。これにより、ユーザは、リモコン端末２００で店頭のパソコンに転送準備要求を送信し、帰宅後に自己のパソコンに転送開始要求を送信すれば、カタログ情報を入手できるので、カタログを書面で所持せずにショッピングを行い、帰宅後に商品のカタログを自己のパソコンで閲覧することができる。
【０１３１】
第８に、観光地その他のガイド情報を観光地のパソコンに蓄積しておき、リモコン端末２００からの転送要求に応じて、観光地のパソコンからユーザのパソコンにガイド情報を転送することもできる。これにより、ユーザは、リモコン端末２００で観光地のパソコンに転送準備要求を送信し、帰宅後に自己のパソコンに転送開始要求を送信すれば、ガイド情報を入手できるので、ガイドを書面で所持せずに旅行を行い、帰宅後に旅行先のガイドを自己のパソコンで閲覧することができる。
【０１３２】
なお、第１ないし第８の形態では、さらに、個人ユーザ認証処理やパーソナライズ処理を中間処理として介在させることもできる。
【０１３３】
【発明の効果】
以上説明したように、本発明に係る請求項１ないし７記載のデータ転送システムによれば、携帯端末で転送要求を与えるだけで、転送元端末から転送先端末にデータを転送することができるとともに、データの転送に際して中間処理を行うことができるので、従来に比して、パソコンの操作に不慣れなユーザであっても、データの転送および転送に伴う中間処理を比較的手軽に行うことができるという効果が得られる。
【０１３４】
さらに、本発明に係る請求項１または２記載のデータ転送システムによれば、転送元端末と携帯端末との間および携帯端末と転送先端末との間では、転送データおよび処理後転送データを直接送受信しなくてすむので、それらの間で転送データまたは処理後転送データを送受信する構成に比して、携帯端末の通信負荷およびメモリ負荷を低減することができるという効果も得られる。
【０１３５】
さらに、本発明に係る請求項３または４記載のデータ転送システムによれば、転送元端末と携帯端末との間および携帯端末と転送先端末との間では、転送データおよび処理後転送データを直接送受信しなくてすむので、それらの間で転送データまたは処理後転送データを送受信する構成に比して、携帯端末の通信負荷およびメモリ負荷を低減することができるという効果も得られる。
【０１３６】
さらに、本発明に係る請求項４記載のデータ転送システムによれば、転送先端末に取扱不能なデータが転送される可能性を低減することができるという効果も得られる。
さらに、本発明に係る請求項５記載のデータ転送システムによれば、転送元端末と携帯端末との間および携帯端末と転送先端末との間では、転送データおよび処理後転送データを直接送受信しなくてすむので、それらの間で転送データまたは処理後転送データを送受信する構成に比して、携帯端末の通信負荷およびメモリ負荷を低減することができるという効果も得られる。
【０１３７】
一方、本発明に係る請求項８記載の転送元端末によれば、請求項１記載のデータ転送システムと同等の効果が得られる。
さらに、本発明に係る請求項９記載の転送元端末によれば、請求項３記載のデータ転送システムと同等の効果が得られる。
さらに、本発明に係る請求項１０記載の転送元端末によれば、請求項５記載のデータ転送システムと同等の効果が得られる。
【０１３８】
一方、本発明に係る請求項１１記載の中間処理端末によれば、請求項１記載のデータ転送システムと同等の効果が得られる。
さらに、本発明に係る請求項１２記載の中間処理端末によれば、請求項５記載のデータ転送システムと同等の効果が得られる。
【図面の簡単な説明】
【図１】本発明を適用するネットワークシステムの構成を示すブロック図である。
【図２】コンピュータ１００の構成を示すブロック図である。
【図３】転送準備要求応答処理を示すフローチャートである。
【図４】転送要求処理を示すフローチャートである。
【図５】音響効果処理を示すフローチャートである。
【図６】転送開始要求応答処理を示すフローチャートである。
【図７】転送準備要求応答処理を示すフローチャートである。
【図８】転送要求処理を示すフローチャートである。
【図９】音響効果処理を示すフローチャートである。
【図１０】転送開始要求応答処理を示すフローチャートである。
【符号の説明】
１００                    コンピュータ
２００                    リモコン端末
２５０                    中間処理端末
３００                    オーディオ機器
３０                      ＣＰＵ
３２                      ＲＯＭ
３４                      ＲＡＭ
４２                      記憶装置
４６                      無線通信装置
【図１】
0003965916.tif 000002
【図２】
0003965916.tif 000003
【図３】
0003965916.tif 000004
【図４】
0003965916.tif 000005
【図５】
0003965916.tif 000006
【図６】
0003965916.tif 000007
【図７】
0003965916.tif 000008
【図８】
0003965916.tif 000009
【図９】
0003965916.tif 000010
【図１０】
0003965916.tif 000011